(57)【要約】【課題】係止された係止具がスライドせず、家具を安定して固定することができる、家具固定のできる建材を提供する。【解決手段】家具固定のできる建材１は、壁に固定される背面板２と、この背面板２に接続する前面板３からなる。前面板３の長手方向にはフック７を装着するための貫通孔４が複数設けられている。この貫通孔４に装着したフック７に、家具９の係止具８を係止することにより家具９は確実に係止される。【選択図】図１
2009050666.tif 000002
【特許請求の範囲】
【請求項１】
壁面等の建物に固定される背面板と、前記背面板に接続する前面板を有し、前記前面板の長手方向には、フックを装着するための貫通孔を複数有し、必要に応じてフックを装着又は取外すことのできることを特徴とする家具固定のできる建材。
【請求項２】
壁面等の建物に固定される背面板と、前記背面板に接続する前面板を有し、前記前面板の長手方向には、フックを装着するための溝を複数有し、必要に応じてフックを装着又は取外すことのできることを特徴とする家具固定のできる建材。
【請求項３】
壁面等の建物に固定される背面板と、前記背面板に接続する前面板を有し、前記前面板の長手方向には、フックを装着するためのネジ孔を複数有し、必要に応じてフックを装着又は取外すことのできることを特徴とする家具固定のできる建材。
【発明の詳細な説明】
【技術分野】
【０００１】  本発明は、地震時に、家具の転倒を防止するための、家具固定のできる建材に関するものである。
【背景技術】
【０００２】  従来から地震対策として、家具を固定する様々な方法が提案されている。【０００３】  例として、図６に示すように、家具と壁面をＬ型金具３０で固定する方法がある。Ｌ型金具を使用する場合は、壁の下地を確認しなければならず、素人にはむずかしかった。また、壁に傷を付けることになり、賃貸住宅の場合は実施しにくい問題があった。【０００４】  以上のような問題を解決するものとして、特許文献１には、図７に示すように、壁面に固定されたリップ溝形鋼のレール１００とこのレール１００上を移動するレール係合金具１０２と家具側の固定金具１０３と両者を接続するワイヤー１０４からなる家具転倒防止装置が記載されている。【０００５】  特許文献１に係る発明によれば、家具の転倒を防止し、家具の移動を容易に行うことができる。また、壁に穴を開ける必要もなく従来からの問題点を解消している。
【特許文献１】特開平９−１００５５号公報（図２５）
【発明の開示】
【発明が解決しようとする課題】
【０００６】  しかし、この家具転倒防止装置は、地震の発生時、レール係合金具１０２がレール００内をスライドし、レール係合金具１０２の動きに伴って家具が傾倒する恐れがある。また、レール係合金具１０２がレール１００から外れ、家具が転倒する恐れがある。このような観点から本発明は、家具の転倒を防止する家具固定のできる建材を提供することを課題とする。
【課題を解決するための手段】
【０００７】  以上ような課題を解決すべく創案された請求項１に係る発明は、壁面等の建物に固定される背面板と、前記背面板に接続する前面板を有し、前記前面板の長手方向には、フックを装着するための貫通孔を複数有し、必要に応じてフックを装着又は取外すことのできることを特徴とする。【０００８】  以上ような課題を解決すべく創案された請求項２に係る発明は、壁面等の建物に固定される背面板と、前記背面板に接続する前面板を有し、前記前面板の長手方向には、フックを装着するための溝を複数有し、必要に応じてフックを装着又は取外すことのできることを特徴とする。【０００９】  以上ような課題を解決すべく創案された請求項３に係る発明は、壁面等の建物に固定される背面板と、前記背面板に接続する前面板を有し、前記前面板の長手方向には、フックを装着するためのネジ孔を複数有し、必要に応じてフックを装着又は取外すことのできることを特徴とする。【００１０】  請求項１に係る発明のフックの取付け方法は、フックを前面板の貫通孔に正面から挿入し、９０度回転させて背面板と前面板の隙間に固定させる。【００１１】  請求項２に係る発明のフックの取付け方法は、フックを前面板の溝の上部から挿入し、背面板と前面板の隙間に固定させる。【００１２】  請求項３に係る発明のフックの取付け方法は、フックの雄ネジを前面板のネジ孔に挿入し、前面板にネジ止め固定させる。【００１３】  この家具固定のできる建材のフックに係止具を係止すると、地震が発生しても家具の転倒を防止することができる。【００１４】  また、この家具固定のできる建材の前記前面板の長手方向には、複数の貫通孔、溝、ネジ孔を有しているので、家具の設置位置に合わせてフックを装着し、家具の固定を実施することができる。つまり、壁に傷を付けることもなく、容易に地震対策ができる。【００１５】  また、この家具固定のできる建材は、いわゆるピクチャーレールとしても使用することができる。家具を設置しないスペースには、絵画等を係止することができる。【００１６】  また、この家具固定のできる建材は、回り縁のように、室内の最上部に設置すれば、エアコン室内機の耐震対策にも使用できる。さらに、洗濯物を部屋干しする際の、洗濯ロープの係止にも使用できる。【００１７】  また、この家具固定のできる建材の長手方向の長さは、室内空間に応じて調整すればよい。例として、住宅の新築時、この前面板の長さを、壁面一区画同等長さと同等としたものを取付けてもよい。あるいは、回り縁のように全周に取付けてもよい。
【発明の効果】
【００１８】  本発明に係る家具固定のできる建材によれば、係止された係止具がスライドしないので、家具を安定して固定することができる。家具の固定により、震災時の人的災害、また、家具の転倒による家具損傷等の経済的損害を防ぐことができる。
【発明を実施するための最良の形態】
【００１９】  本発明の実施形態について図面を参照して詳細に説明する。説明において同一の要素には同一の符号を付し、重複する説明は省略する。【００２０】  図１は、本実施形態に係る家具固定のできる建材の斜視図である。図２は本実施形態に係る家具固定のできる建材１を示す図であって、（ａ）は正面図（ｂ）は平面図、（ｃ）は断面図である。【００２１】  本実施形態に係る家具固定のできる建材１は、図１から図３に示すように、壁面ｔに固定される背面板２と、この背面板２に接続する前面板３と、この前面板３に装着されるフック７からなる。なお、地震が発生した場合、家具固定のできる建材１には大きな荷重が作用することから、本実施形態においては、家具固定のできる建材１の材質を鋼製とした。だだし、その材質は特に限定されるものではなく他の金属でもよい。または、合成樹脂でもよい。【００２２】  背面板２は、略長方形の板材であり、この板材の長手方向には、ネジ孔ｈが設けられている。家具固定のできる建材１は、図２の（ｃ）が示すように、ネジＪにより壁面ｔに固定される。【００２３】  前面板２は、図１に示すように、略長方形の板材であり、その長手方向には複数の貫通孔４、又は溝５、又はネジ孔６があり、必要に応じてフック７が装着できる。前記フック７に係止具８を係止することにより、家具９を安定して固定できる。【００２４】  係止具８は、図５に示すように、ワイヤー１０により、家具９の頂上面のネジ込みフックにより家具９と接続している。【００２５】  本発明に係る実施形態について図面を参照にして詳細に説明したが、本発明はこれに限られるものではなく、本発明の趣旨を逸脱しない範囲においては変更可能である。例えば、フック７は先端が閉じられた形状でもよい。又ワイヤー１０は鎖やベルトでもよい。【００２６】  また、本実施例においては、家具９の頂上面を二箇所にて支持するものであるが、大きく重い家具であれば、三箇所以上で支持してもよい。【００２７】  また、本実施例においては、家庭における家具の固定について説明したがオフィスにおける、書庫、ロッカー等の固定にも利用できる。
【図面の簡単な説明】
【００２８】
【図１】請求項１に係る、家具固定のできる建材の斜視図である。
【図２】請求項１に係る、家具固定できる建材の図であって、（ａ）は正面図、（ｂ）は平面図、（ｃ）は断面図である。
【図３】請求項２に係る、家具固定のできる建材の斜視図である。
【図４】請求項３に係る、家具固定のできる建材の斜視図である。
【図５】本実施形態を多用途に使用した場合の正面図である。
【図６】従来の家具転倒防止具を示した図である。
【図７】従来の家具転倒防止具を示した図である。
【符号の説明】
【００２９】  １  家具固定のできる建材            ７  フック
２  背面板                          ８  係止具
３  前面板                          ９  家具
４  貫通孔                        １０  ワイヤー
５  溝
６  ネジ孔
【図１】
2009050666.tif 000003
【図２】
2009050666.tif 000004
【図３】
2009050666.tif 000005
【図４】
2009050666.tif 000006
【図５】
2009050666.tif 000007
【図６】
2009050666.tif 000008
【図７】
2009050666.tif 000009